(57)【要約】【課題】  高一致性参考電流を具えた電流駆動システム及びその電流ドライバの提供。【解決手段】  各電流ドライバは参考電流生成ユニットと電流ミラーユニットを具え、且つ参考電流生成ユニットは電流調整パラメータと電流複製パラメータを具え、参考電流生成ユニットにより電流調整パラメータに依り電流を生成し、電流ミラーユニットが電流複製パラメータに依り参考電流を生成し、並びにこの参考電流を該電流ドライバに接続された次の電流ドライバに送って次の電流ドライバの参考電流生成ユニットの入力電流となす。【選択図】        図３
2005056378.tif 000002
【特許請求の範囲】
【請求項１】
第１電流ドライバ、及び少なくとも一つの第２電流ドライバを具え、
該第１電流ドライバは第１参考電流生成ユニットと第１電流ミラーユニットを具え、該第１参考電流生成ユニットは前ステージ参考電流Ｉｒｅｆと第１参考電流Ｉ１を生成し、そのうち、Ｉ１＝Ｋ１×Ｉｒｅｆであり、Ｋ１は該第１参考電流生成ユニットの電流調整パラメータとされ、該第１電流ミラーユニットは該第１参考電流Ｉ１を受け取って、第２参考電流Ｉ２を生成し、Ｉ２＝Ｋ２×Ｉ１であり、そのうち、Ｋ２は該第１電流ミラーユニットの電流複製パラメータとされ、
該少なくとも一つの第２電流ドライバは、第２参考電流生成ユニットを具え、該第２参考電流生成ユニットは第２参考電流Ｉ２を受け取って、第３参考電流Ｉ３を生成し、Ｉ３＝Ｋ３×Ｉ２であり、そのうち、Ｋ３は第２参考電流生成ユニットの電流調整パラメータとされ、且つＫ２×Ｋ３＝１であることを特徴とする、高一致性参考電流を具えた電流駆動システム。
【請求項２】
請求項１記載の高一致性参考電流を具えた電流駆動システムにおいて、第２電流ドライバがさらに第２電流ミラーユニットを具え、該第２電流ミラーユニットが第３参考電流Ｉ３を受け取り第４参考電流Ｉ４を生成して第２電流ドライバに入力することを特徴とする、高一致性参考電流を具えた電流駆動システム。
【請求項３】
請求項１記載の高一致性参考電流を具えた電流駆動システムにおいて、Ｋ１＝Ｋ３、Ｋ１×Ｋ２＝１であることを特徴とする、高一致性参考電流を具えた電流駆動システム。
【請求項４】
請求項１記載の高一致性参考電流を具えた電流駆動システムにおいて、第１参考電流生成ユニットが参考抵抗に外接され、該参考抵抗と参考電圧により前ステージ参考電流Ｉｒｅｆを生成することを特徴とする、高一致性参考電流を具えた電流駆動システム。
【請求項５】
請求項１記載の高一致性参考電流を具えた電流駆動システムにおいて、第１電流ドライバが第１参考電流生成ユニットで第１出力電流を生成し、第２電流ドライバが第２参考電流生成ユニットで第２出力電流を生成し、これによりフラットパネルディスプレイのパネルを駆動することを特徴とする、高一致性参考電流を具えた電流駆動システム。
【請求項６】
請求項１記載の高一致性参考電流を具えた電流駆動システムにおいて、第１参考電流生成ユニットが演算増幅器と複数の第１トランジスタを具え、該演算増幅器が参考電圧と接続された第１入力端を具え、該演算増幅器が参考抵抗と接続された第２入力端を具え、これにより前ステージ参考電流Ｉｒｅｆを生成することを特徴とする、高一致性参考電流を具えた電流駆動システム。
【請求項７】
請求項６記載の高一致性参考電流を具えた電流駆動システムにおいて、第１トランジスタがｐ型ＭＯＳＦＥＴとされたことを特徴とする、高一致性参考電流を具えた電流駆動システム。
【請求項８】
請求項６記載の高一致性参考電流を具えた電流駆動システムにおいて、第１トランジスタがｎ型ＭＯＳＦＥＴとされたことを特徴とする、高一致性参考電流を具えた電流駆動システム。
【請求項９】
請求項１記載の高一致性参考電流を具えた電流駆動システムにおいて、第１電流ミラーユニットが複数の第２トランジスタを具えて電流ミラー回路を形成することを特徴とする、高一致性参考電流を具えた電流駆動システム。
【請求項１０】
請求項９記載の高一致性参考電流を具えた電流駆動システムにおいて、第２トランジスタがｎ型ＭＯＳＦＥＴとされたことを特徴とする、高一致性参考電流を具えた電流駆動システム。
【請求項１１】
請求項９記載の高一致性参考電流を具えた電流駆動システムにおいて、第２トランジスタがｐ型ＭＯＳＦＥＴとされたことを特徴とする、高一致性参考電流を具えた電流駆動システム。
【請求項１２】
少なくとも一つの次の電流ドライバに直列に接続されて電流駆動システムを構成して出力電流を提供してディスプレイパネルを駆動するのに用いられる電流ドライバであり、該電流ドライバは、参考電流生成ユニットと電流ミラーユニットとを具え、
該参考電流生成ユニットは前ステージ参考電流Ｉｒｅｆを生成して第１参考電流参考電流Ｉ１を生成し、Ｉ１＝Ｋ１×Ｉｒｅｆであり、Ｋ１は該第１参考電流生成ユニットの電流調整パラメータとされ、
該電流ミラーユニットは該第１参考電流Ｉ１を受け取って、第２参考電流Ｉ２を生成し、Ｉ２＝Ｋ２×Ｉ１であり、Ｋ２は該電流ミラーユニットの電流複製パラメータとされ、且つ該第２参考電流Ｉ２は次の電流ドライバに入力され、該次の電流ドライバの参考電流生成ユニットにより第３参考電流Ｉ３が生成され、Ｉ３＝Ｋ３×Ｉ２であり、Ｋ３は該次の電流ドライバの参考電流生成ユニットの電流調整パラメータとされ、且つＫ２×Ｋ３＝１であることを特徴とする、電流ドライバ。
【請求項１３】
請求項１２記載の電流ドライバにおいて、参考電流生成ユニットが参考抵抗に外接され、該参考抵抗と参考電圧により前ステージ参考電流を生成することを特徴とする、電流ドライバ。
【請求項１４】
請求項１２記載の電流ドライバにおいて、Ｋ１＝Ｋ３、Ｋ１×Ｋ２＝１であることを特徴とする、電流ドライバ。
【請求項１５】
請求項１２記載の電流ドライバにおいて、参考電流生成ユニットが演算増幅器と複数の第１トランジスタを具え、該演算増幅器が参考電圧と接続された第１入力端を具え、該演算増幅器が参考抵抗と接続された第２入力端を具え、これにより前ステージ参考電流Ｉｒｅｆを生成することを特徴とする、電流ドライバ。
【請求項１６】
請求項１５記載の電流ドライバにおいて、第１トランジスタがｐ型ＭＯＳＦＥＴとされたことを特徴とする、電流ドライバ。
【請求項１７】
請求項１５記載の電流ドライバにおいて、第１トランジスタがｎ型ＭＯＳＦＥＴとされたことを特徴とする、電流ドライバ。
システム。
【請求項１８】
請求項１２記載の電流ドライバにおいて、電流ミラーユニットが複数の第２トランジスタを具えて電流ミラー回路を形成することを特徴とする、電流ドライバ。
【請求項１９】
請求項１８記載の電流ドライバにおいて、第２トランジスタがｎ型ＭＯＳＦＥＴとされたことを特徴とする、電流ドライバ。
【請求項２０】
請求項１８記載の電流ドライバにおいて、第２トランジスタがｐ型ＭＯＳＦＥＴとされたことを特徴とする、電流ドライバ。
【発明の詳細な説明】
【技術分野】
【０００１】
本発明はデータドライバ（ソースドライバ）に係り、特にフラットパネルディスプレイに適用される高一致性参考電流を具えた電流駆動システム及びその電流ドライバに関する。
【背景技術】
【０００２】
テクノロジーは常に使いやすさを追求し、より安全で、より快適な生活が人々の最終目標となっている。日常生活にあって、画像伝送は人々に娯楽を提供し、並びにデジタルコミュニケーションに用いられている。伝統的な画像伝送インタフェースとしてＣＲＴが画像表示に採用されていたが、ＣＲＴディスプレイは使用時に輻射を発生し、且つその体積は膨大であるため、次第にフラットパネルディスプレイ（例えば液晶ディスプレイ、有機発光ディスプレイ）がそれに代わるようになった。
【０００３】
図１は現在のフラットパネルディスプレイのシステム構造表示図であり、それはディスプレイパネル１１、ソースドライバ１２、ゲートドライバ１３及びコントローラ１４を構成要件としてなる。これらソースドライバ１２及びゲートドライバは必要な電圧をディスプレイパネル１１上の画素に出力するのに用いられ、これらソースドライバ１２はまたデータドライバと称され、それはデータの入力に用いられ、これらゲートドライバ１３はディスプレイパネル１１中の液晶分子のねじれと速度を決定するのに用いられる。一般に、ディスプレイパネル１１に高解析度を達成させたいならば、必要なソースドライバ１２とゲートドライバ１３の数は増加し、買うソースドライバ１２の均一性を維持する困難度が増した。
【０００４】
現在ドライバの駆動方式は電圧駆動（例えばＬＣＤ）と電流駆動（ＯＬＥＤ）の二種類に分けられる。電圧式駆動のパネルにあって、これらドライバは同じ参考電圧を具備しなければならず、それによりそのアナログ出力電圧を一致させる。電流式駆動のパネルでは、これらドライバは同じ参考電流を具備しなければならず、それにより各ドライバの出力電流を一致させて良好な画面均一性を達成する。
【０００５】
図２は電流式ソースドライバの表示図である。上述したように、これら電流式ソースドライバ２１、２２、２３の出力電流を同じに位置するためには、その参考電流を一致させなければならない。各電流式ソースドライバ２１、２２、２３の参考電流は通常、その制御電圧（参考電圧）及びその入力抵抗（参考抵抗）２１１、２１２、２１３を調整することにより生成され、即ち、参考電流は参考電圧を参考抵抗で除算したものに等しい。
【０００６】
しかし、制御電圧は外部回路より提供されるか或いは電流式ソースドライバ自身により提供されるため、これら電流式ソースドライバ２１、２２、２３の制御電圧には違いが生じうる。また、入力抵抗２１１、２１２、２１３は一般に外接され、その変異性は約＋／−１％〜＋／−５％であり、このため各電流式ソースドライバ２１、２２、２３の参考電流が異なったものとなり、その出力電流が異なるものとなり、画面が不均一となり、６ビット以上の解析度の均一性要求を達成できなくなる。
【発明の開示】
【発明が解決しようとする課題】
【０００７】
このため、各電流式ソースドライバの参考電流を同じとして良好な画面均一性を達成する電流ドライバの提供が解決を要する課題となっている。
【０００８】
ゆえに、本発明の主要な目的は、高一致性参考電流を具えた電流駆動システム及びその電流ドライバを提供し、各電流ドライバの出力電流を一致させ、良好な画面均一性を達成できるようにすることにある。
【課題を解決するための手段】
【０００９】
請求項１の発明は、第１電流ドライバ、及び少なくとも一つの第２電流ドライバを具え、
該第１電流ドライバは第１参考電流生成ユニットと第１電流ミラーユニットを具え、該第１参考電流生成ユニットは前ステージ参考電流Ｉｒｅｆと第１参考電流Ｉ１を生成し、そのうち、Ｉ１＝Ｋ１×Ｉｒｅｆであり、Ｋ１は該第１参考電流生成ユニットの電流調整パラメータとされ、該第１電流ミラーユニットは該第１参考電流Ｉ１を受け取って、第２参考電流Ｉ２を生成し、Ｉ２＝Ｋ２×Ｉ１であり、そのうち、Ｋ２は該第１電流ミラーユニットの電流複製パラメータとされ、
該少なくとも一つの第２電流ドライバは、第２参考電流生成ユニットを具え、該第２参考電流生成ユニットは第２参考電流Ｉ２を受け取って、第３参考電流Ｉ３を生成し、Ｉ３＝Ｋ３×Ｉ２であり、そのうち、Ｋ３は第２参考電流生成ユニットの電流調整パラメータとされ、且つＫ２×Ｋ３＝１であることを特徴とする、高一致性参考電流を具えた電流駆動システムとしている。
請求項２の発明は、請求項１記載の高一致性参考電流を具えた電流駆動システムにおいて、第２電流ドライバがさらに第２電流ミラーユニットを具え、該第２電流ミラーユニットが第３参考電流Ｉ３を受け取り第４参考電流Ｉ４を生成して第２電流ドライバに入力することを特徴とする、高一致性参考電流を具えた電流駆動システムとしている。
請求項３の発明は、請求項１記載の高一致性参考電流を具えた電流駆動システムにおいて、Ｋ１＝Ｋ３、Ｋ１×Ｋ２＝１であることを特徴とする、高一致性参考電流を具えた電流駆動システムとしている。
請求項４の発明は、請求項１記載の高一致性参考電流を具えた電流駆動システムにおいて、第１参考電流生成ユニットが参考抵抗に外接され、該参考抵抗と参考電圧により前ステージ参考電流Ｉｒｅｆを生成することを特徴とする、高一致性参考電流を具えた電流駆動システムとしている。
請求項５の発明は、請求項１記載の高一致性参考電流を具えた電流駆動システムにおいて、第１電流ドライバが第１参考電流生成ユニットで第１出力電流を生成し、第２電流ドライバが第２参考電流生成ユニットで第２出力電流を生成し、これによりフラットパネルディスプレイのパネルを駆動することを特徴とする、高一致性参考電流を具えた電流駆動システムとしている。
請求項６の発明は、請求項１記載の高一致性参考電流を具えた電流駆動システムにおいて、第１参考電流生成ユニットが演算増幅器と複数の第１トランジスタを具え、該演算増幅器が参考電圧と接続された第１入力端を具え、該演算増幅器が参考抵抗と接続された第２入力端を具え、これにより前ステージ参考電流Ｉｒｅｆを生成することを特徴とする、高一致性参考電流を具えた電流駆動システムとしている。
請求項７の発明は、請求項６記載の高一致性参考電流を具えた電流駆動システムにおいて、第１トランジスタがｐ型ＭＯＳＦＥＴとされたことを特徴とする、高一致性参考電流を具えた電流駆動システムとしている。
請求項８の発明は、請求項６記載の高一致性参考電流を具えた電流駆動システムにおいて、第１トランジスタがｎ型ＭＯＳＦＥＴとされたことを特徴とする、高一致性参考電流を具えた電流駆動システムとしている。
請求項９の発明は、請求項１記載の高一致性参考電流を具えた電流駆動システムにおいて、第１電流ミラーユニットが複数の第２トランジスタを具えて電流ミラー回路を形成することを特徴とする、高一致性参考電流を具えた電流駆動システムとしている。
請求項１０の発明は、請求項９記載の高一致性参考電流を具えた電流駆動システムにおいて、第２トランジスタがｎ型ＭＯＳＦＥＴとされたことを特徴とする、高一致性参考電流を具えた電流駆動システムとしている。
請求項１１の発明は、請求項９記載の高一致性参考電流を具えた電流駆動システムにおいて、第２トランジスタがｐ型ＭＯＳＦＥＴとされたことを特徴とする、高一致性参考電流を具えた電流駆動システムとしている。
請求項１２の発明は、少なくとも一つの次の電流ドライバに直列に接続されて電流駆動システムを構成して出力電流を提供してディスプレイパネルを駆動するのに用いられる電流ドライバであり、該電流ドライバは、参考電流生成ユニットと電流ミラーユニットとを具え、
該参考電流生成ユニットは前ステージ参考電流Ｉｒｅｆを生成して第１参考電流参考電流Ｉ１を生成し、Ｉ１＝Ｋ１×Ｉｒｅｆであり、Ｋ１は該第１参考電流生成ユニットの電流調整パラメータとされ、
該電流ミラーユニットは該第１参考電流Ｉ１を受け取って、第２参考電流Ｉ２を生成し、Ｉ２＝Ｋ２×Ｉ１であり、Ｋ２は該電流ミラーユニットの電流複製パラメータとされ、且つ該第２参考電流Ｉ２は次の電流ドライバに入力され、該次の電流ドライバの参考電流生成ユニットにより第３参考電流Ｉ３が生成され、Ｉ３＝Ｋ３×Ｉ２であり、Ｋ３は該次の電流ドライバの参考電流生成ユニットの電流調整パラメータとされ、且つＫ２×Ｋ３＝１であることを特徴とする、電流ドライバとしている。
請求項１３の発明は、請求項１２記載の電流ドライバにおいて、参考電流生成ユニットが参考抵抗に外接され、該参考抵抗と参考電圧により前ステージ参考電流を生成することを特徴とする、電流ドライバとしている。
請求項１４の発明は、請求項１２記載の電流ドライバにおいて、Ｋ１＝Ｋ３、Ｋ１×Ｋ２＝１であることを特徴とする、電流ドライバとしている。
請求項１５の発明は、請求項１２記載の電流ドライバにおいて、参考電流生成ユニットが演算増幅器と複数の第１トランジスタを具え、該演算増幅器が参考電圧と接続された第１入力端を具え、該演算増幅器が参考抵抗と接続された第２入力端を具え、これにより前ステージ参考電流Ｉｒｅｆを生成することを特徴とする、電流ドライバとしている。
請求項１６の発明は、請求項１５記載の電流ドライバにおいて、第１トランジスタがｐ型ＭＯＳＦＥＴとされたことを特徴とする、電流ドライバとしている。
請求項１７の発明は、請求項１５記載の電流ドライバにおいて、第１トランジスタがｎ型ＭＯＳＦＥＴとされたことを特徴とする、電流ドライバとしている。
システムとしている。
請求項１８の発明は、請求項１２記載の電流ドライバにおいて、電流ミラーユニットが複数の第２トランジスタを具えて電流ミラー回路を形成することを特徴とする、電流ドライバとしている。
請求項１９の発明は、請求項１８記載の電流ドライバにおいて、第２トランジスタがｎ型ＭＯＳＦＥＴとされたことを特徴とする、電流ドライバとしている。
請求項２０の発明は、請求項１８記載の電流ドライバにおいて、第２トランジスタがｐ型ＭＯＳＦＥＴとされたことを特徴とする、電流ドライバとしている。
【発明の効果】
【００１０】
本発明は電流ドライバ（ソースドライバ或いはデータドライバ）内部に参考電流生成ユニットと電流ミラーユニットが設置され、電流複製パラメータと電流調整パラメータにより異なる電流ドライバの参考電流を同じとし、これにより各電流ドライバの出力電流を同じとして表示の均一性を達成する。
【発明を実施するための最良の形態】
【００１１】
本発明は高一致性参考電流を具えた電流駆動システムを提供し、それは、第１電流ドライバ、及び少なくとも一つの第２電流ドライバを具え、該第１電流ドライバは第１参考電流生成ユニットと第１電流ミラーユニットを具え、該第１参考電流生成ユニットは前ステージ参考電流Ｉｒｅｆと第１参考電流Ｉ１を生成し、そのうち、Ｉ１＝Ｋ１×Ｉｒｅｆであり、Ｋ１は該第１参考電流生成ユニットの電流調整パラメータとされ、該第１電流ミラーユニットは該第１参考電流Ｉ１を受け取って、第２参考電流Ｉ２を生成し、Ｉ２＝Ｋ２×Ｉ１であり、そのうち、Ｋ２は該第１電流ミラーユニットの電流複製パラメータとされる。前記少なくとも一つの第２電流ドライバは、第２参考電流生成ユニットを具え、該第２参考電流生成ユニットは第２参考電流Ｉ２を受け取って、第３参考電流Ｉ３を生成し、Ｉ３＝Ｋ３×Ｉ２であり、そのうち、Ｋ３は第２参考電流生成ユニットの電流調整パラメータとされ、且つＫ２×Ｋ３＝１である。
【００１２】
本発明はまた、一種の電流ドライバを提供し、それは少なくとも一つの次の電流ドライバに直列に接続されて電流駆動システムを構成して出力電流を提供してディスプレイパネルを駆動するのに用いられる。該電流ドライバは、参考電流生成ユニットと電流ミラーユニットとを具えている。該参考電流生成ユニットは前ステージ参考電流Ｉｒｅｆを生成して第１参考電流参考電流Ｉ１を生成し、そのうち、Ｉ１＝Ｋ１×Ｉｒｅｆであり、Ｋ１は該第１参考電流生成ユニットの電流調整パラメータとされる、また、該電流ミラーユニットは該第１参考電流Ｉ１を受け取って、第２参考電流Ｉ２を生成し、Ｉ２＝Ｋ２×Ｉ１であり、そのうち、Ｋ２は該電流ミラーユニットの電流複製パラメータとされ、且つ該第２参考電流Ｉ２は次の電流ドライバに入力され、該次の電流ドライバの参考電流生成ユニットにより第３参考電流Ｉ３を生成するのに用いられ、Ｉ３＝Ｋ３×Ｉ２であり、そのうち、Ｋ３は該次の電流ドライバの参考電流生成ユニットの電流調整パラメータとされ、且つＫ２×Ｋ３＝１である。
【実施例１】
【００１３】
本発明の好ましい実施例はＯＬＥＤのパネル上のデータドライバ（ソースドライバ）を例とし、本実施例において、データドライバは電流ドライバとされる。図３は本発明のシステム構造を示し、それは、少なくとも二つの電流ドライバ３１、３２で組成され、且つ各電流ドライバ３１、３２がそれぞれ参考電流生成ユニット３１１、３２１と電流ミラーユニット３１２、３２２を具えている。第１の電流ドライバ３１の参考電流生成ユニット３１１の入力端３１１１は参考抵抗Ｒｒｅｆに外接されて、参考抵抗Ｒｒｅｆと参考電圧Ｖｒｅｆにより参考電流生成ユニット３１１に参考電流Ｉｒｅｆを生成させ、続いてその内部回路により参考電流Ｉ１を生成する。参考電流Ｉｒｅｆと参考電流Ｉ１の間の関係については後述する。これにより、本発明は一つの参考抵抗Ｒｒｅｆを利用して参考電流Ｉ１を生成して複数の参考抵抗を採用する時のその変異性により発生する参考電流が異なってしまう問題を防止している。
【００１４】
電流ミラーユニット３１２の入力端３１２１と参考電流生成ユニット３１１の出力端３１１２は接続され、電流ミラーユニット３１２の出力端３１２２は第２の電流ドライバ３２の参考電流生成ユニット３２１の入力端３２１１に接続される。参考電流生成ユニット３２１の出力端３２１２と電流ミラーユニット３２２の入力端３２２１が接続され、電流ミラーユニット３２２の出力端３２２２は次の電流ドライバの参考電流生成ユニットの入力端に接続され、即ち本発明の各電流ドライバ３１、３２の間の接続方式は直列とされ、これにより後ステージの電流ドライバ３２が前ステージの電流ドライバ３１の出力電流を受け取り、並びに前ステージの電流ドライバ３１の出力電流をその参考電流Ｉｒｅｆとし、この参考電流Ｉｒｅｆに依り運転する。各電流ドライバ３１、３２の間の運転状況については後述する。
【００１５】
第１の電流ドライバ３１中、参考電流生成ユニット３１１は先ず参考電圧Ｖｒｅｆと参考抵抗Ｒｒｅｆにより参考電流Ｉｒｅｆを生成し、続いてその内部回路により参考電流Ｉ１を生成し、電流ドライバ３１がこの参考電流Ｉ１に依り運転できるようにし、並びに出力の駆動電流を生成して有機発光ディスプレイ（ＯＬＥＤ）のパネルを駆動する。そのうち、参考電圧Ｖｒｅｆは外部回路より提供されるか或いは電流ドライバ３１の発生する参考電圧源より提供される。参考電流生成ユニット３１１は電流調整パラメータＫ１を具え、これによりその出力する参考電流Ｉ１＝Ｋ１×Ｉｒｅｆとなり、電流ミラーユニット３１２は電流複製パラメータＫ２を具え、これによりその出力する参考電流がＩ２＝Ｋ２×Ｉ１となり、この電流調整パラメータＫ１と電流複製パラメータＫ２の大きさはトランジスタの面積比（Ｗ／Ｌ比）により制御される。続いてこの参考電流Ｉ２が次の電流ドライバ３２の参考電流生成ユニット３２１に入力されてその参考電流Ｉｒｅｆとされる。
【００１６】
電流ドライバ３１、３２は直列に接続され、ゆえに参考電流生成ユニット３２１が受け取る入力電流は電流ミラーユニット３１２の出力電流であり、即ち参考電流生成ユニット３２１は電流ミラーユニット３１２の出力する参考電流Ｉ２を参考電流Ｉｒｅｆとなす。参考電流生成ユニット３２１はまた電流調整パラメータＫ３を具え、これによりその出力する参考電流Ｉ３＝Ｋ３×Ｉ２となり、且つ参考電流Ｉ３の大きさは参考電流区１の大きさに等しく、即ち、Ｉ３＝Ｉ１＝Ｋ２×Ｉ２＝Ｋ２×Ｋ３×Ｋ１で、即ちＫ２×Ｋ３＝１である。これにより電流調整パラメータＫ２或いはＫ３を調整することによりＫ２×Ｋ３＝１となすことができ、即ちこれら電流ドライバ３１、３２の参考電流Ｉ１及びＩ３を同じくすることができる。
【００１７】
参考電流生成ユニット３２１の生成する参考電流Ｉ３は有機発光ディスプレイ（ＯＬＥＤ）のパネルを駆動する出力の駆動電流を生成するのに用いられるほか、電流ミラーユニット３２２に入力され、該電流ミラーユニット３２２に参考電流Ｉ４を生成させ、該参考電流Ｉ４は電流ドライバ３２と接続された次の電流ドライバ（図示せず）に送られる。そのうち、電流ミラーユニット３２２は電流複製パラメータＫ４を具え、Ｉ４＝Ｋ４×Ｉ３となすことができる。
【００１８】
図４は電流ドライバ３１、３２の参考電流生成ユニット３１１、３２１及び電流ミラーユニット３１２、３２２の実施回路図である。そのうち、電流ドライバ３１の参考電流生成ユニット３１１は演算増幅器３１１３及びｐ型ＭＯＳＦＥＴ３１１４、３１１５、３１１６、３１１７で構成される。参考電流生成ユニット３１１は参考電流Ｉｒｅｆを生成し、該参考電流Ｉｒｅｆは外部で接続された参考電流Ｉｒｅｆ（即ち参考抵抗Ｒｒｅｆとｐ型ＭＯＳＦＥＴ３１１５のソースが接続されている）と演算増幅器３１１３のプラス相入力端に接続された参考電圧Ｖｒｅｆにより発生し、続いて参考電流生成ユニット３１１がｐ型ＭＯＳＦＥＴ３１１６、３１１７により参考電流Ｉ１を生成する。そのうち、参考電流Ｉ１と参考電流Ｉｒｅｆの間の倍数（Ｋ１）はｐ型ＭＯＳＦＥＴ３１１４、３１１５及びｐ型ＭＯＳＦＥＴ３１１６、３１１７の間の面積比により決定される。
【００１９】
電流ミラーユニット３１２は四つのｎ型ＭＯＳＦＥＴ３１２５、３１２６、３１２７、３１２８で構成されたカスケードミラー（Ｃａｓｃａｄｅ  Ｍｉｒｒｏｒ）回路であり、電流ミラーユニット３１２の出力電流Ｉ２と入力電流Ｉ１の倍数（Ｋ２）はその回路素子（ＭＯＳＦＥＴ）の幾何形状により決定され、例えば、ｎ型ＭＯＳＦＥＴ３１２６とｎ型ＭＯＳＦＥＴ３１２８の面積比により決定する。
【００２０】
同様に、電流ドライバ３２の参考電流生成ユニット３２１は演算増幅器３２１３とｐ型ＭＯＳＦＥＴ３２１４、３２１５、３２１６、３２１７で構成されるが、それは外部参考抵抗に接続する必要がなく、前ステージの電流ミラーユニット３１２の発生する参考電流Ｉ２を入力して参考電流Ｉ３を生成し、これにより電流ミラーユニット３２２に入力する。そのうちＩ３＝Ｋ３×Ｉ２であり、パラメータＫ３の大きさを調整することによりｐ型ＭＯＳＦＥＴ３２１４、３２１５及びｐ型ＭＯＳＦＥＴ３２１６、３２１７の面積比を決定し、これにより、電流複製パラメータＫ２と電流調整パラメータＫ３の大きさを調整することでＫ２×Ｋ３＝１とすることができ、得られる参考電流Ｉ１を参考電流Ｉ３に等しくすることができる。
【００２１】
図５は二つ以上の電流ドライバ３１、３２、３３を接続した電流駆動システム表示図である。各電流ドライバ３１、３２、３３はいずれも直列に接続され、且つその直列接続数に制限はない。これら電流ドライバ３１、３２、３３は参考抵抗Ｒｒｅｆ（即ち電流ドライバ３１の参考電流生成ユニット３１１の入力端３１１１と参考抵抗Ｒｒｅｆが接続されている）と一組の同じ参考電圧Ｖｒｅｆを利用し、且つ電流ドライバ３１の電流ミラーユニットの出力端３１２２が次の電流ドライバ３２の参考電流生成ユニットの入力端３２１１に接続されているために、同じ参考電流を生成でき、これにより出力する電流が同じとなり、駆動するパネルの画面均一性を達成できる。
【実施例２】
【００２２】
上述の電流ドライバ３１、３２中のＭＯＳＦＥＴはｐ型をｎ型に変更でき、その回路については図６に示されるもう一つの実施例の電流ドライバ６の内部回路を参照されたい。その回路特性と前述の実施例は同じであるが、僅かに回路の接続が異なり、ゆえに第１ステージの電流ドライバ６の内部回路の接続関係についてのみ説明する。電流ドライバ６は参考電流生成ユニット６１と電流ミラーユニット６２を具えているほか、その参考電流生成ユニット６１がさらに外部の参考抵抗Ｒｒｅｆに接続されている。そのうち、参考電流生成ユニット６１は演算増幅器６１５及びｎ型ＭＯＳＦＥＴ６１１、６１２、６１３、６１４で構成され、電流ミラーユニット６２はｐ型ＭＯＳＦＥＴ６２１、６２２、６２３、６２４で構成されている。参考電流生成ユニット６１の採用するＭＯＳＦＥＴがｎ型に変更されているため、参考抵抗Ｒｒｅｆは作業電圧ＶDDとｎ型ＭＯＳＦＥＴ６１１のドレインの間に接続され、且つｎ型ＭＯＳＦＥＴ６１２、６１４のソースがいずれも接地し、ｐ型ＭＯＳＦＥＴ６２１、６２３のドレインがいずれも作業電圧ＶDDに接続されている。
【００２３】
当然、上述の電流ドライバの直列接続の数は必要な解析度により決定され、且つこれら電流ドライバ内部のその他の回路素子の作業原理は、この技術に習熟する者にとって周知であるため、詳細な説明は省略する。
【図面の簡単な説明】
【００２４】
【図１】周知のフラットパネルディスプレイのシステム構造表示図である。
【図２】周知の電流式ソースドライバの表示図である。
【図３】本発明の好ましい実施例のシステム構造図である。
【図４】本発明の好ましい実施例の電流ドライバの内部回路実施図である。
【図５】本発明の好ましい実施例の各電流ドライバの接続表示図である。
【図６】本発明の別の好ましい実施例の電流ドライバの内部回路実施図である。
【符号の説明】
【００２５】
１１  ディスプレイパネル                １２  ソースドライバ
１３  ゲートドライバ                    １４  コントローラ
２１、２２、２３  電流式ソースドライバ  ２１１、２１２、２１３  入力抵抗
３１、３２、４１、４２、４３、６  電流ドライバ
３１１、３２１、６１  参考電流生成ユニット
３１１１、３２１１  入力端
３１２、３２２、６２  電流ミラーユニット
３１１２、３２１２  出力端
３１１３、３２１３、６１５  演算増幅器
３１２５、３１２６、３１２７、３１２８  ｎ型ＭＯＳＦＥＴ
３１１４、３１１５、３１１６、３１１７  ｐ型ＭＯＳＦＥＴ
６１１、６１２、６１３、６１４  ｎ型ＭＯＳＦＥＴ
６２１、６２２、６２３、６２４  ｐ型ＭＯＳＦＥＴ
３１２１、３２２１  入力端
３１２２、３２２２  出力端
【図１】
2005056378.tif 000003
【図２】
2005056378.tif 000004
【図３】
2005056378.tif 000005
【図４】
2005056378.tif 000006
【図５】
2005056378.tif 000007
【図６】
2005056378.tif 000008